(57)【要約】【課題】寸法管理を容易に行うことができ、バッテリーポストに対する接続の安定性を確保することが可能なバッテリーターミナルを提供する。【解決手段】バッテリーターミナル１０は、金属板からなり、バッテリーポスト６０に外嵌される平面視弧状の電極保持部１１と、電極保持部１１の開口両端部から互いに対向して突出する一対の突出部１２とを備え、両突出部１２がボルト８０とナット７０の締め付けによって互いに接近することにより、電極保持部１１が縮径してバッテリーポスト６０に固定される。電極保持部１１には、周方向に間隔をあけた複数箇所にて、外面側の凹みに対応して内側に突出し、その突出端２８が締め付け時にバッテリーポスト６０と当接するように屈曲してなる屈曲部２５が設けられている。【選択図】図１
2015069892.tif 000002
【特許請求の範囲】
【請求項１】
金属板からなり、バッテリーポストに外嵌されて周方向に開口を有する電極保持部と、前記電極保持部の開口両端部から互いに対向して突出する一対の突出部とを備え、両突出部が締め付け手段の締め付けによって互いに接近することにより、前記電極保持部が縮径して前記バッテリーポストに固定されるバッテリーターミナルであって、
前記電極保持部には、周方向に間隔をあけた複数箇所にて、外面側の凹みに対応して内側に突出し、その突出端が前記締め付け時に前記バッテリーポストと当接するように屈曲してなる屈曲部が設けられていることを特徴とするバッテリーターミナル。
【請求項２】
前記電極保持部を、平面視において、前記電極保持部の径方向中心を通って直交する２つの直線で４分割した場合に、前記４分割したそれぞれの部分に前記屈曲部が設けられていることを特徴とする請求項１記載のバッテリーターミナル。
【発明の詳細な説明】
【技術分野】
【０００１】
本発明は、バッテリーターミナルに関する。
【背景技術】
【０００２】
特許文献１に開示のバッテリーターミナルは、バッテリーポストに外嵌される平面視弧状の電極保持部と、電極保持部の両端開口部から互いに対向して突出する一対の突出部（脚片）とを備えている。両突出部には、ボルト孔が同軸で設けられている。ボルト孔にボルトが挿通され、挿通されたボルトにナットが締め付けられると、両突出部が互いに接近し、それに伴い電極保持部が縮径してバッテリーポストの外周に緊密に当接し、もってバッテリーターミナルがバッテリーポストに固定されるようになっている。
【先行技術文献】
【特許文献】
【０００３】
【特許文献１】特開平１１−５４１８３号公報
【発明の概要】
【発明が解決しようとする課題】
【０００４】
ところで、上記従来のバッテリーターミナルの場合、両突出部の接近動作に追従して電極保持部が縮径するため、縮径動作が安定しにくく、バッテリーポストに対して電極保持部が周方向から均一な保持力で保持されにくいという事情がある。これに対し、電極保持部の寸法精度を高めることにより、バッテリーポストに対する保持信頼性を確保することが可能であるものの、電極保持部がバッテリーポストと同心の平面視円形状になることから、寸法管理を厳密に行うのが難しく、精度向上に限界があるという問題がある。
【０００５】
本発明は上記のような事情に基づいて完成されたものであって、寸法管理を容易に行うことができ、バッテリーポストに対する接続の安定性を確保することが可能なバッテリーターミナルを提供することを目的とする。
【課題を解決するための手段】
【０００６】
本発明は、金属板からなり、バッテリーポストに外嵌されて周方向に開口を有する電極保持部と、前記電極保持部の開口両端部から互いに対向して突出する一対の突出部とを備え、両突出部が締め付け手段の締め付けによって互いに接近することにより、前記電極保持部が縮径して前記バッテリーポストに固定されるバッテリーターミナルであって、前記電極保持部には、周方向に間隔をあけた複数箇所にて、外面側の凹みに対応して内側に突出し、その突出端が前記締め付け時に前記バッテリーポストと当接するように屈曲してなる屈曲部が設けられているところに特徴を有する。
【発明の効果】
【０００７】
複数の屈曲部の突出端が締め付け時にバッテリーポストと当接することにより、バッテリーポストに対する電極保持部の当接位置がそれぞれの屈曲部によって規定されるため、電極保持部全体の寸法管理を厳密に行う必要がなく、寸法管理が容易になる。しかも、屈曲部の突出形状が電極保持部の外面側の凹みに対応して設けられているため、突出部の接近動作に電極保持部が円滑に追従することができ、バッテリーポストに対する接続の安定性を確保することができる。
【図面の簡単な説明】
【０００８】
【図１】本発明の実施例のバッテリーターミナルがバッテリーポストに固定された状態を示す、（Ａ）正面図と、（Ｂ）平面図である。
【図２】バッテリーターミナルがバッテリーポストに固定される前の状態を示す、（Ａ）正面図と、（Ｂ）平面図である。
【図３】バッテリーターミナルの側面図である。
【図４】バッテリーターミナルの幅方向中央を長さ方向に沿って切断した破断図である。
【図５】バッテリーターミナルと電線の分離底面図である。
【発明を実施するための形態】
【０００９】
本発明の好ましい形態を以下に示す。
前記電極保持部を、平面視において、前記電極保持部の径方向中心を通って直交する２つの直線で４分割した場合に、前記４分割したそれぞれの部分に前記屈曲部が設けられている。締め付け手段の締め付け時には、電極保持部を４分割したそれぞれの部分に設けられた屈曲部がバッテリーポストにバランス良く当接するため、バッテリーポストに対する接続の安定性をいっそう向上させることができる。
【００１０】
＜実施例＞
本発明の実施例を図１〜図５によって説明する。実施例のバッテリーターミナル１０は、導電性の金属板を曲げ加工等して一体に成形され、バッテリーポスト６０に取り付けられて接続される。バッテリーポスト６０は、図示しないバッテリー本体の上面に突設される鉛等の比較的柔らかい材料からなる電極であって、図１に示すように、上端へ向けて次第に径寸法を小さくする円錐台形に形成されている。
【００１１】
図５に示すように、バッテリーターミナル１０は、バッテリーポスト６０に外嵌されて周方向の両端部が開口する電極保持部１１と、電極保持部１１の両端開口部から一側方（図示左側）へ互いに対向して突出する一対の突出部１２と、電極保持部１１を挟んで両突出部１２とは反対側の位置から他側方（図示右側）へ突出するバレル部１３とからなる。バレル部１３は、オープンバレル状をなし、電極保持部１１の上端に屈曲して連なる基板部１４と、基板部１４の突出方向の両側縁から下向きに突出する一対の圧着部１５とからなる。バレル部１３は、電線９０の端末部において被覆９１の除去により露出する芯線９２に圧着部１５が巻き付けられて圧着により接続される。
【００１２】
図１に示すように、両突出部１２は、互いにほぼ平行で且つ上下方向（高さ方向）に対してやや傾斜して配置される矩形平板状の第１、第２座部１６、１７を有する。第２座部１７は、第１座部１６に対して相対的に上方に位置している。第１座部１６の上縁には、第２座部１７に向けて屈曲する第１上側規制片１８が設けられ、第１座部１６の下縁には、第２座部１７から離れる方向に屈曲する第１下側規制片１９が設けられている。また、第２座部１７の上縁には、第１座部１６から離れる方向に屈曲する第２上側規制片２１が設けられ、第２座部１７の下縁には、第１座部１６に向けて屈曲する第２下側規制片２２が設けられている。また、第１、第２座部１６、１７の中心部には、それぞれ同軸で貫通する軸孔２３が設けられている。
【００１３】
図２に示すように、第１、第２座部１６、１７の軸孔２３には、ボルト８０の軸部８１が挿通させられ、第１、第２座部１６、１７のうちの一方（図示する場合は第１座部１６）にはボルト８０の頭部８２が着座され、他方（図示する場合は第２座部１７）には軸部８１と螺合するナット７０が着座される。その状態で、インパクトレンチ等を用いて、ナット７０がボルト８０に締め付けられることにより、図１に示すように、両突出部１２が互いに接近し、それに伴い、電極保持部１１が縮径変形させられる。この場合において、第１上側規制片１８及び第２下側規制片２２が互いに当接することにより、第１、第２座部１６、１７のそれ以上の接近動作が阻止される。また、第１下側規制片１９又は第２上側規制片２１がボルト８０の頭部８２又はナット７０と当接することにより、ボルト８０の頭部８２又はナット７０が締め付け過程で連れ回りするのが阻止されるようになっている。
【００１４】
さて、電極保持部１１は、図３に示すように、バッテリーポスト６０を包囲可能な側面視台形の帯状をなし、図１に示すように、平面視においてバッテリーポスト６０の外周面とほぼ平行に配置される基部２４と、電極保持部１１の周方向に間隔をあけた複数箇所で内側へ屈曲してなる屈曲部２５とからなる。基部２４は、両端開口部が位置する一側方（図示左側）で両突出部１２と一体に連なり、他側方（図示右側）でバレル部１３と一体に連なっている。
【００１５】
図１に示すように、屈曲部２５は、電極保持部１１の径方向中心へ向けて円弧状に張り出す形態とされ、電極保持部１１の外面を凹ませてなる凹部２６と、凹部２６の背合わせ位置となる、電極保持部１１の内面を内側へ突出させてなる凸部２７とで画成されている。凸部２７の内端は、突出端２８となっている。また、屈曲部２５は、基部２４とほぼ同じ板厚をもって周方向に連続し、且つ、図３及び図４に示すように、電極保持部１１の全高に亘ってほぼ同じ断面形状をもって延出する形態とされている。
【００１６】
さらに、実施例の場合、図１に示すように、屈曲部２５は、電極保持部１１の径方向中心を通ってバッテリーターミナル１０の長さ方向となる一側方から他側方に延びる第１直線部５１と、電極保持部１１の径方向中心を通って第１直線部５１と平面視で直交する第２直線部５２とによって、電極保持部１１を４つの部分Ｓ１〜Ｓ４に分割した場合に、それぞれの部分Ｓ１〜Ｓ４に対応して個別に配置されている。
【００１７】
次に、バッテリーポスト６０に対するバッテリーターミナル１０の接続と作用効果について説明する。
ボルト８０とナット７０との締結に先立ち、バッテリーポスト６０にバッテリーターミナル１０の電極保持部１１を被せる。このとき、図２に示すように、基部２４がバッテリーポスト６０の外周面から離間する一方、各屈曲部２５の突出端２８がバッテリーポスト６０の外周面における周方向に間隔をあけた複数箇所、詳細には４箇所に、ほぼ全高に亘って軽く当接した状態になる。
【００１８】
次いで、ボルト８０にナット７０が締め付けられる。すると、両突出部１２の接近動作に伴って電極保持部１１が縮径され、図１に示すように、基部２４がバッテリーポスト６０の外周面から離間した状態を維持するものの、各屈曲部２５の突出端２８がバッテリーポスト６０の外周面の上記４箇所に、ほぼ全高に亘って強く当接して実質的に食い込む状態になる。これにより、バッテリーターミナル１０がバッテリーポスト６０に接続固定される。
【００１９】
ところで、上記の場合、バッテリーポスト６０に対する各屈曲部２５の当接位置が、バッテリーポスト６０の中心でもある電極保持部１１の中心を通って互いに直交する第１、第２直線部５１、５２によって４分割される部分Ｓ１〜Ｓ４のそれぞれに設定されているため、バッテリーポスト６０に対して電極保持部１１がバランス良く安定した保持力で保持される。その結果、電極保持部１１が保持力不足によりバッテリーポスト６０から抜け出る事態が回避される。
【００２０】
とくに、屈曲部２５の外面側に凹部２６が設けられ、屈曲部２５の内面側における凹部２６と対応する位置に凸部２７が設けられ、屈曲部２５が基部２４とほぼ同じ板厚で周方向に連続する形態になっているため、締め付けに伴う両突出部１２の接近動作に、電極保持部１１の縮径動作が円滑に追従することができ、バッテリーポスト６０に対する接続の安定を図ることができる。
【００２１】
以上説明したように、実施例によれば、屈曲部２５が電極保持部１１における周方向に間隔をあけた複数箇所に設けられ、それぞれの屈曲部２５の突出端２８が締め付け時にバッテリーポスト６０に当接することにより、バッテリーターミナル１０がバッテリーポスト６０に固定される。したがって、電極保持部１１の内面全体の寸法管理を厳密に行う必要がなく、寸法管理の煩わしさを解消することができる。しかも、屈曲部２５の内外両面に凸部２７と凹部２６とが対応して設けられているため、電極保持部１１の縮径動作の円滑性が担保され、バッテリーポスト６０に電極保持部１１が安定して保持される。
【００２２】
＜他の実施例＞
本発明は上記記述及び図面によって説明した実施例に限定されるものではなく、例えば次のような態様も本発明の技術的範囲に含まれる。
（１）ボルトとナットとの締結前の状態で、バッテリーポストに電極保持部を被せたときに、屈曲部の突出端がバッテリーポストの外周面に当接せずに離間して配置されるものであってもよい。
（２）屈曲部は、第１、第２直線部で４つの部分に分割した場合にそれぞれの部分に複数設けられるものであってもよい。
（３）屈曲部は、バッテリーターミナルの長さ方向に沿った第１直線部を挟んだ両側に対をなして設けられるものであってもよい。
【符号の説明】
【００２３】
１０…バッテリーターミナル
１１…電極保持部
１２…突出部
２５…屈曲部
２８…突出端
６０…バッテリーポスト
７０…ナット（締め付け手段）
８０…ボルト（締め付け手段）
Ｓ１〜Ｓ４…４分割したそれぞれの部分
【図１】
2015069892.tif 000003
【図２】
2015069892.tif 000004
【図３】
2015069892.tif 000005
【図４】
2015069892.tif 000006
【図５】
2015069892.tif 000007